(57)【要約】      （修正有）【課題】道路の防音壁の吸音板において、内部空間における雨水の滞留防止を、製造の手間の増加などを抑えて安価に実現する。【解決手段】吸音板１の背面パネル２と前面パネル３との間に形成される内部空間の下部に、雨水誘導ブロック５が背面パネルの底壁２ｃに支持されて挿入され、その雨水誘導ブロック５が、水平もしくは前下がりの方向に傾斜した上面５ａを有し、その上面５ａが吸音板の内部に流入した雨水を前面パネル３側に誘導するものにした。【選択図】図５
0003207432.tif 000002
【実用新案登録請求の範囲】
【請求項１】
底壁と頂壁を有する断面がほぼコ字状の背面パネルと、前記底壁と頂壁の先端部に固定された前面パネルと、前記背面パネルと前面パネルとの間に装填された吸音材を備え、前記底壁と頂壁は後下がりの方向に傾斜する勾配を有し、前記底壁は先端に垂下したリムを有し、そのリムに対して、前記前面パネルの下端部に形成された略Ｕ字状の曲げ戻し部が当該リムを抱き込むように係止され、この曲げ戻し部の底部にスリットが設けられている吸音板の前記背面パネルと前面パネルとの間に作り出される内部空間の下部に挿入する雨水誘導ブロックであって、水平もしくは前下がりの方向に傾斜した上面を有し、その上面が前記吸音板の内部に流入した雨水を前記前面パネル側に誘導するように構成された吸音板用雨水誘導ブロック。
【請求項２】
独立気泡を有する発泡プラスチックで構成された請求項１に記載の吸音板用雨水誘導ブロック。
【請求項３】
連通気泡を有する発泡プラスチックで構成されて表面に遮水被膜が形成された請求項１に記載の吸音板用雨水誘導ブロック。
【請求項４】
表面に防火処理が施された請求項１〜３のいずれかに記載の吸音板用雨水誘導ブロック。
【請求項５】
底壁と頂壁を有する断面がほぼコ字状の背面パネルと、前記底壁と頂壁の先端部に固定された前面パネルと、前記背面パネルと前面パネルとの間に装填された吸音材を備え、前記底壁と頂壁は後下がりの方向に傾斜する勾配を有し、前記底壁は先端に垂下したリムを有し、そのリムに対して、前記前面パネルの下端部に形成された略Ｕ字状の曲げ戻し部が当該リムを抱き込むように係止され、この曲げ戻し部の底部にスリットが設けられている吸音板であって、前記背面パネルと前面パネルとの間に作り出される内部空間の下部に請求項１〜３のいずれかに記載の雨水誘導ブロックが挿入され、その雨水誘導ブロックの上面が前記吸音板の内部に流入した雨水を前記前面パネル側に誘導するように構成された道路防音壁の吸音板。
【請求項６】
前記雨水誘導ブロックが、耐水性のある接着剤で前記背面パネルの背面壁と底壁に接着されている請求項５に記載の道路防音壁の吸音板。
【考案の詳細な説明】
【技術分野】
【０００１】
この考案は、高速道路などの騒音対策として道路脇に設置される防音壁の吸音板に組み込む雨水誘導ブロックとそれを用いた道路防音壁の吸音板に関する。
【背景技術】
【０００２】
高速道路などに設置される防音壁は、道路脇に定間隔をあけて立設されたＨ型支柱間に、ボックス型吸音板を複数段積み上げて構築される。
【０００３】
その段積みされた吸音板の部分拡大図を図７に示す。図示の吸音板１は、略コの字状に曲げ加工した背面パネル２に多数の空隙を有するルーバなどの前面パネル３を係止し、内部に吸音材４を装填したものである（下記特許文献１参照）。
【０００４】
前面パネル３は、図示のように、上端の庇部３ｂが前記背面パネル２の頂壁２ｂにリベット６で固着され、前面パネル３の下端部は、背面パネル２の底壁２ｃに設けられた垂下したリム２ｅを抱き込むように折り曲げられた曲げ戻し部３ｃが設けられて前記リム２ｅに対して所謂ハゼ嵌合によって係止されている。
【０００５】
このようなハゼ嵌合部には、その構造上、腐食の原因となる雨水が溜り易いことから、腐食防止を目的として、図示のように、ハゼ嵌合部の下端に排水用のスリット３ｆを設けている。
【０００６】
また、ボックス型吸音板は、段積みする必要上、背面パネル２の頂壁２ｂと底壁２ｃに、後部（図における左端）が下がる方向の傾斜が付されており、それが原因で、底壁２ｃの後部の内部空間にも雨水が滞留し易いことから、排水のために下記のような対策が講じられている。
【０００７】
その対策のひとつは、底壁２ｃの後部付近に、図７のように排水孔９を設けることである。
【０００８】
対策の２つ目は、下記特許文献２や３に示されるように、吸音板の下部において、前面板（特許文献３は正面板と称している）と背面板間に、前下がりの方向に傾斜した排水処理材（特許文献３は導水板と称している）を設けて内部に流入した雨水を排水用のスリットが設けられているハゼ嵌合部側に誘導することである。
【０００９】
特許文献４の吸音板も特許文献２，３と似たような対策を施している。この特許文献４は、背面パネルと一体の底壁を前下がりの方向に傾斜させ、複数の吸音板を段積みするのに必要な後下がりの斜面は、下段の吸音板の頂壁との間にできる隙間を充填するシューを底壁の後端部に固着してそのシューに設けている。
【先行技術文献】
【特許文献】
【００１０】
【特許文献１】実用新案登録第３１８７１０１号公報
【特許文献２】実用新案登録第３１９２５７４号公報
【特許文献３】特開２０１５−８６６５３号公報
【特許文献４】実用新案登録第３１９２４５５号公報
【考案の概要】
【考案が解決しようとする課題】
【００１１】
底壁２ｃの後部付近に排水孔９を設置する対策は、吸音板の強度確保と吸音性の低減の抑制のために排水孔９の孔径を大きくしたり設置数を増やしたりすることが規制され、その孔径と設置数が規制された排水孔９は、吸音板１の内部に侵入した粉塵などの異物による孔詰まりが懸念され、排水が万全なものにならない。
【００１２】
上記特許文献２〜４などは、その問題の対策として考え出されたものであるが、特許文献１の吸音板に無い排水処理材、導水板、充填用シューなどを追設しているため、特許文献１の吸音板に比べると材料費の増加、製造の手間の増加が伴い、コストアップに繋がる。
【００１３】
この考案の課題は、道路の防音壁を構成する吸音板の内部空間における雨水の滞留防止を、製造の手間の増加などを抑えて安価に実現することである。
【課題を解決するための手段】
【００１４】
上記の課題を解決するため、この考案においては、底壁と頂壁を有する断面がほぼコ字状の背面パネルと、前記底壁と頂壁の先端部に固定された前面パネルと、前記背面パネルと前面パネルとの間に装填された吸音材を備え、前記底壁と頂壁は後下がりの方向に傾斜する勾配を有し、前記底壁は先端に垂下したリムを有し、そのリムに対して、前記前面パネルの下端部に形成された略Ｕ字状の曲げ戻し部が当該リムを抱き込むように係止され、この曲げ戻し部の底部にスリットが設けられている吸音板の前記背面パネルと前面パネルとの間に作り出される内部空間の下部に挿入する雨水誘導ブロックであって、水平もしくは前下がりの方向に傾斜した上面を有し、その上面が前記吸音板の内部に流入した雨水を前記前面パネル側に誘導するように構成された雨水誘導ブロックを提供する。
【００１５】
この雨水誘導ブロックは、耐水性と遮水性に優れる発泡スチロールなどの発泡プラスチックで形成されたものが好ましい。
【００１６】
発泡プラスチックは、独立気泡を有するものが好ましいが、連通気泡を有する発泡プラスチックも表面に遮水被膜を設ければ使用可能である。
【００１７】
また、この雨水誘導ブロックは、消炎剤などを用いて表面に防火処理が施されたものが好ましい。
【００１８】
この考案は、底壁と頂壁を有する断面がほぼコ字状の背面パネルと、前記底壁と頂壁の先端部に固定された前面パネルと、前記背面パネルと前面パネルとの間に装填された吸音材を備え、前記底壁と頂壁は後下がりの方向に傾斜する勾配を有し、前記底壁は先端に垂下したリムを有し、そのリムに対して、前記前面パネルの下端部に形成された略Ｕ字状の曲げ戻し部が当該リムを抱き込むように係止され、この曲げ戻し部の底部にスリットが設けられている吸音板であって、前記背面パネルと前面パネルとの間に作り出される内部空間の下部に、前記雨水誘導ブロックが挿入された道路防音壁の吸音板も併せて提供する。
【００１９】
この吸音板は前記雨水誘導ブロックを背面パネルなどに接着してもよいが、その雨水誘導ブロックは、自重と前記底壁の勾配による作用により、背面パネルの前記底壁と背面壁に突き当たり、さらに、上方への変位が吸音材によって阻止されるので、背面パネルなどに対する固定処理を行わなくても定位置に保持される。
【考案の効果】
【００２０】
この考案の雨水誘導ブロックは、水平もしくは前下がりの方向に傾斜した上面を有する単純な形状であり、吸音板の内部に流入した雨水を確実に外部に排出して吸音板の腐食防止の信頼性を高めることができる。
【００２１】
この雨水誘導ブロックは、安価な発泡スチロールなどの発泡プラスチックで作れるため、材料費の増加によるコストアップも回避することができる。
【００２２】
なお、雨水誘導ブロックを独立気泡を有する発泡プラスチックで形成したものは、表面の遮水処理が不要であり、製造の手間の削減とコストアップの抑制効果が最大に発揮される。
【００２３】
また、防火処理を施した雨水誘導ブロックは、交通事故による車両火災が防音壁の近くで発生しても簡単に燃えることがない。
【００２４】
このほか、この考案の吸音板は、内部に前記雨水誘導ブロックを備えており、その雨水誘導ブロックの上面によって吸音板の内部に流入した雨水が前面パネル側に誘導される。
【００２５】
従って、従来の吸音板に一体化して設けている部材、即ち、前記特許文献２の排水処理材、特許文献３の導水板、或いは特許文献４の充填用シューが不要であり、吸音板の内部空間における雨水の滞留防止を、製造の手間の増加などを抑えて実現することができる。
【図面の簡単な説明】
【００２６】
【図１】この考案の吸音板用雨水誘導ブロックの一例を示す斜視図である。
【図２】雨水誘導ブロックの変形例を示す断面図である。
【図３】雨水誘導ブロックの他の変形例を示す断面図である。
【図４】この考案の吸音板の一例を示す端部を切り取った状態の斜視図である。
【図５】図４の吸音板の断面図である。
【図６】図４の吸音板の段積み部を示す部分拡大断面図である。
【図７】従来の吸音板の段積み部を示す部分拡大断面図である。
【考案を実施するための形態】
【００２７】
以下、この考案の吸音板用雨水誘導ブロックとそれを用いた道路防音壁の吸音板の実施の形態を添付図面の図１〜図６に基づいて説明する。
【００２８】
図１に示した雨水誘導ブロック５は、上面５ａ、背面５ｂ、底面５ｃ及び両側面５ｄ，５ｄを有しており、図２、図３に示すように、断面（長手直角向きに切った断面）が三角形をなす。この雨水誘導ブロック５は、耐水性のある材料（種類を問わない）で形成される。
【００２９】
図１の雨水誘導ブロック５の上面５ａは、前下がりの方向に傾斜しているが、図２に示すように、水平であってもよい。上面５ａ上に滴下した雨水は、上面が水平になっている場合にも、排水部のある側に流れるので、排水に支障がでることはない。
【００３０】
この雨水誘導ブロック５の背面５ｂは垂直になっており、後述する吸音板１の背面壁２ａの内面に密着する。また、この雨水誘導ブロック５の底面５ｃは、後述する吸音板１の底壁２ｃの内面に接する方向に密着傾斜している。
【００３１】
なお、この考案の雨水誘導ブロック５には、防火処理を施しておくことができる。図２の７は、消炎剤を表面に塗って形成した消炎塗膜７であり、この消炎塗膜７により、難燃性が付与されている。
【００３２】
消炎塗膜７は、例えば、（株）日本防災化学研究所が販売元となっている中性の硫安系防炎剤（難燃剤）を用いて形成される。
【００３３】
図１、図２に示した雨水誘導ブロック５は、独立気泡を有する発泡スチロールなどの発泡樹脂で形成されており、遮水のための特別な処理を必要としないが、図３に示すように、雨水誘導ブロック５の表面に水を通さない遮水被膜８を形成すれば、連通気泡を有する発泡樹脂などで構成された雨水誘導ブロック５も使用することができる。
【００３４】
図４〜図６は、この考案の雨水誘導ブロック５を採用した道路防音壁の吸音板の一例を示している。
【００３５】
図示の吸音板１は、断面が略コの字状の背面パネル２と、多数の羽根板３ａをルーバのように切り起こして多数の空隙を設けた前面パネル３と、背面パネル２と前面パネル３との間の空間（内部空間）に装填された吸音材４と、内部空間の下部に挿入された前述の雨水誘導ブロック５とから成る。
【００３６】
前記背面パネル２は、起立した背面壁２ａと、その背面壁２ａの上端に連なる平坦な頂壁２ｂと、背面壁２ａの下端に連なる平坦な底壁２ｃとを有する。
【００３７】
頂壁２ｂは、背面壁２ａの上端において背面壁２ａとのなす角が鈍角をなして前面パネル３側に延びるように折り曲げられ、一方、底壁２ｃは、背面壁２ａの下端において背面壁２ａとのなす角が鋭角をなして前面パネル３側に延びるように折り曲げられている。
【００３８】
頂壁２ｂと底壁２ｃの前端縁には、下向きに屈曲して垂下したリム２ｄ，２ｅがそれぞれ設けられている。
【００３９】
前記前面パネル３は、上側段差部３ｄを介した上端に、背面パネル２の側へ突出する庇部３ｂを有し、さらに、下側段差部３ｅを介した下端に、内面側に折り返された略Ｕ字状の曲げ戻し部３ｃを有している。
【００４０】
前記庇部３ｂは、前記背面パネル２の頂壁２ｂの傾斜に対応する角度をもって形成され、その庇部３ｂが頂壁２ｂ上に重ね合わされてリベット６によって頂壁２ｂに固定されている。
【００４１】
また、前面パネル３の下端は、前記曲げ戻し部３ｃに背面パネル２の底壁先端のリム２ｅが差し込まれ、リム２ｅを抱き込むような形でそのリム２ｅと所謂ハゼ嵌合している。
【００４２】
そして、そのハゼ嵌合部の底部である曲げ戻し部３ｃのコーナに、曲げ戻し部３ｃを貫通する排水用のスリット３ｆが図４に示したように、吸音板の横幅方向に所定間隔で設けられている。
【００４３】
前記雨水誘導ブロック５の先端の縁は、雨水誘導ブロック５の背面５ｂが背面パネルの背面壁２ａの内面に接している状態で背面パネル２の底壁２ｃの先端側の最も位置が高くなっている位置の近辺又はその位置よりも前面パネル３に近づいた位置にある。
【００４４】
雨水誘導ブロック５の前記背面５ｂは、背面パネル２の背面壁２ａの内面に密着する面として構成されていると好ましい。背面５ｂは、背面パネル２の背面壁２ａに密着していると背面５ｂと背面壁２ａとの間に対する雨水の浸み込みが起こり難い。
【００４５】
同様の理由から、雨水誘導ブロック５の前記底面５ｃも、背面パネルの底壁２ｃの内面に密着する面として構成されていると好ましい。
【００４６】
例示の吸音板１に設けた雨水誘導ブロック５は、背面パネル２と前面パネル３との間に形成された内部空間に固定せずに挿入されている。
【００４７】
この非固定の配置では背面パネルの背面壁２ａと雨水誘導ブロック５との間、及び背面パネルの底壁２ｃと雨水誘導ブロック５との間に雨水が浸み込むことが考えられるが、底壁２ｃの後端付近に特許文献１が示しているような排水孔を併設すれば、雨水が浸み込んでもその雨水の滞留は起こらない。
【００４８】
雨水誘導ブロック５は、背面パネルの背面壁２ａと底壁２ｃに耐水性のある接着剤で接着してもよく、その場合には、背面壁２ａとの間及び底壁２ｃとの間の隙間が接着剤で塞がれるため前記隙間に対する雨水の浸み込みの懸念が無くなる。
【００４９】
このように、雨水誘導ブロック５を内部空間の下部に挿入したこの考案の吸音板は、雨水誘導ブロック５の上面５ａが前下がりの斜面となっているので、内部に吹き込むなどして浸入した雨水は上面５ａにより前面パネル３側に誘導され、前面パネルの下部の曲げ戻し部３ｃに設けたスリット３ｆから外部に排出される。これにより、雨水に起因した腐食が抑制され、吸音板の寿命がのびる。
【符号の説明】
【００５０】
１          吸音板
２          背面パネル
２ａ        背面壁
２ｂ        頂壁
２ｃ        底壁
２ｄ，２ｅ  リム
３          前面パネル
３ａ        羽根板
３ｂ        庇部
３ｃ        曲げ戻し部
３ｄ        上側段差部
３ｅ        下側段差部
３ｆ        スリット
４          吸音材
５          雨水誘導ブロック
５ａ        上面
５ｂ        背面
５ｃ        底面
５ｄ        側面
６          リベット
７          消炎塗膜
８          遮水被膜
９          排水孔
【図１】
0003207432.tif 000003
【図２】
0003207432.tif 000004
【図３】
0003207432.tif 000005
【図４】
0003207432.tif 000006
【図５】
0003207432.tif 000007
【図６】
0003207432.tif 000008
【図７】
0003207432.tif 000009